(57)【要約】【課題】  機体を安定させた状態で、集材作業に有利となるように地上から高い位置でワイヤを送出しおよび巻き戻すことができる簡易集材機およびその使用方法を提供する。【解決手段】  ブーム12とアーム13を有する油圧ショベルをベースマシンとして、そのベースマシンに材木運搬用のウインチ11が搭載された簡易集材機において、ブーム12とアーム13の連結部を支点とし、そのブーム12に対して起立する起立状態とブーム12に沿って格納される格納状態との間で起伏するタワー22を有し、このタワー22の先端部にウインチ11からのワイヤW1,W2をかける滑車P1,P2を取り付けるための滑車取付部23を備え、且つタワー22を起立状態に保持する部材13b,22iを備えたことを特徴とする。【選択図】        図１
2004315226.tif 000002
【特許請求の範囲】
【請求項１】
ブームと、このブームの先端に水平軸まわりに上げ下げ回動可能に連結されたアームとを有する油圧ショベルをベースマシンとして、そのベースマシンに材木運搬用のウインチが搭載された簡易集材機において、
上記ブームの先端部に、そのブームに対し起立する起立状態とブームに沿って格納される格納状態との間で起伏するタワーが設けられ、このタワーの先端部に上記ウインチからのワイヤをガイドする滑車が取り付けられ、且つ上記タワーを起立状態に保持する起立保持手段が備えられていることを特徴とする簡易集材機。
【請求項２】
上記ウインチが上記ブームに設けられている請求項１記載の簡易集材機。
【請求項３】
上記ブームの基端側で且つブーム上げ操作時に油圧ショベル本体と干渉しない位置に上記ウインチが設けられている請求項２記載の簡易集材機。
【請求項４】
ブームと、このブームの先端に水平軸まわりに上げ下げ回動可能に連結されたアームとを有する油圧ショベルをベースマシンとして、そのベースマシンに材木運搬用のウインチが搭載された簡易集材機において、
上記ブームの先端部に、そのブームに対し起立する起立状態とブームに沿って格納される格納状態との間で起伏するタワーが設けられ、このタワーの先端部に上記ウインチが取り付けられ、上記タワーを起立状態に保持する起立保持手段が備えられていることを特徴とする簡易集材機。
【請求項５】
上記タワーが、上記ブームと上記アームの連結部を支点として起伏するように構成されている請求項１〜４のいずれか１項に記載の簡易集材機。
【請求項６】
上記タワーは、上記アームの回動動作と干渉しない状態で上記ブームの上面側に格納されるように構成されている請求項１〜５のいずれか１項に記載の簡易集材機。
【請求項７】
上記起立保持手段として、上記タワーと上記アームを連結・分離させる連結部材を備え、この連結部材により上記タワーと上記アームを連結した状態で、上記アームの上げ側動作に連動して上記タワーを格納し、また、上記アームの下げ側動作に連動して上記タワーを起立させるとともにその起立状態を保持するように構成した請求項１〜６のいずれか１項に記載の簡易集材機。
【請求項８】
上記起立保持手段として上記タワー基端部と上記ブーム先端部に架設される起伏シリンダを有し、この起伏シリンダを伸縮させることにより上記タワーを格納状態と起立状態との間で起伏動作するように構成してなる請求項１〜６のいずれか１項に記載の簡易集材機。
【請求項９】
ブームとアームを有する作業アタッチメント付きの油圧ショベルをベースマシンとして、そのベースマシンに材木運搬用のウインチが搭載された簡易集材機の使用方法において、
上記ブームと上記アームの連結部を支点とし、そのブームに対して起立する起立状態とブームに沿って格納される格納状態との間で起伏するタワーを有し、上記アームを下げてその先端部に設けられた作業装置を接地させる一方で上記タワーを起立させ、起立させた上記タワーの先端部に滑車を取り付けて上記ウインチからのワイヤをかけ、ワイヤの送出しあるいは巻戻しを行うことを特徴とする簡易集材機の使用方法。
【請求項１０】
格納状態の上記タワーを上記アームの後端部に接続した後、そのアームを下げることによって上記タワーを起立させる請求項９記載の簡易集材機の使用方法。
【請求項１１】
上記タワー基端部と上記ブーム先端部に架設される起伏シリンダを伸長させることにより上記タワーを起立させる請求項９記載の簡易集材機の使用方法。
【請求項１２】
ブームとアームを有する作業アタッチメント付きの油圧ショベルをベースマシンとして、そのベースマシンに材木運搬用のウインチが搭載された簡易集材機の使用方法において、
上記ブームと上記アームの連結部を支点とし、そのブームに対して起立する起立状態とブームに沿って格納される格納状態との間で起伏するタワーを有し、上記アームを下げてその先端部に設けられた作業装置を接地させる一方で上記タワーを起立させ、起立させた上記タワーの先端部に設けられたウインチからワイヤの送出しあるいは巻戻しを行うことを特徴とする簡易集材機の使用方法。
【発明の詳細な説明】
【技術分野】
【０００１】
本発明は、材木を吊ったワイヤを送出しまたは巻戻しする集材用のウインチを備えた簡易集材機およびその使用方法に関するものである。
【背景技術】
【０００２】
従来、林業分野において、油圧ショベルをベースマシンとして集材用のウインチを搭載した簡易集材機が用いられている。
【０００３】
この簡易集材機によれば、走破性のすぐれたクローラで不整地に進入して林道の造成等の土木作業が行える一方、ウインチからワイヤを送出しまたは巻戻すことにより集材作業も行える。
【０００４】
図７は上記簡易集材機の一般的な構成を示したものである。
【０００５】
同図において簡易集材機はクローラ５０を備えた下部走行体５１上に上部旋回体５２を旋回自在に搭載し、上部旋回体５２のキャビン５３側方に作業アタッチメント５４が備えられている。この作業アタッチメント５４においては、起伏動作するブーム５５の先端部にアーム５６が連結され、このアーム５６の先端部にバケット５７が連結されている。
【０００６】
上記作業アタッチメント５４の基端部横側には集材用のウインチ５８が備えられており、このウインチ５８からワイヤ５９が送り出され、あるいは巻き戻されることにより、そのワイヤ５９に取り付けられたフック（図示しない）に吊られた材木が簡易集材機に引き寄せられるようになっている。
【０００７】
上記簡易集材機では、アーム５６の先端部下面にフック５６ａが備えられ、このフック５６ａに滑車６０を取り付けるようにしているため、滑車６０を地上から高く上げた状態で集材作業を行うことができる。しかしながら、材木の地引き作業中、突発的な負荷が加わると、簡易集材機が前側に転倒する虞れがあった。
【０００８】
そこで、図８に示すように、作業アタッチメント５４のバケット５７を接地させた状態で簡易作業機を安定させ、集材作業を行うようにしたものが提案されている（例えば、特許文献１参照）。
【特許文献１】特開２００２−２１１０７号公報（第(４)頁、図１）
【発明の開示】
【発明が解決しようとする課題】
【０００９】
しかしながら、図８に示した簡易集材機では、図７に示したものに比べて機体を安定させることができる反面、図７に示した簡易集材機のように滑車６０の位置を高くすることができないため材木の地引き作業に不利となる。例えば、傾斜地の多い山間の作業現場では、バケット５７を林道から外れて谷側斜面に接地しなければならない場合もあり、滑車６０の高さが不足する。
【００１０】
なお、滑車６０を取り付けている支持部材６１を上方に延ばすことも検討されたが、そうすると、集材作業を終えて掘削作業を行う場合にその支持部材６１が作業の邪魔になる。
【００１１】
本発明は以上のような従来の簡易集材機における課題を考慮してなされたものであり、機体を安定させた状態で、集材作業に有利となるように地上から高い位置でワイヤを送出しおよび巻き戻すことができる簡易集材機およびその使用方法を提供するものである。
【課題を解決するための手段】
【００１２】
本発明の簡易集材機は、ブームと、このブームの先端に水平軸まわりに上げ下げ回動可能に連結されたアームとを有する油圧ショベルをベースマシンとして、そのベースマシンに材木運搬用のウインチが搭載された簡易集材機において、ブームの先端部に、そのブームに対し起立する起立状態とブームに沿って格納される格納状態との間で起伏するタワーが設けられ、このタワーの先端部にウインチからのワイヤをガイドする滑車が取り付けられ、且つタワーを起立状態に保持する起立保持手段が備えられていることを要旨とする。
【００１３】
本発明に従えば、集材作業を行わない例えば掘削作業時にはタワーをブームに沿って格納することができるため掘削作業が支障なく行え、また、集材作業を行う場合はタワーをブームに対して起立させることができるため、滑車を十分高い位置に配置することができ、場所を選ばず有利に集材作業が行える。しかも、タワーと別個に駆動するアームを曲げてその先端に取り付けられた例えばグラップル，バケット等の作業装置を接地させれば、同時に機体を安定させることが可能になる。
【００１４】
本発明において、上記ブームの先端部とはブームにおけるアームとの連結部、或いはブームにおけるアーム連結部近傍の部位を示す。
【００１５】
上記簡易集材機において、ウインチをブームに設けるように構成することができ、この場合、ブームの基端側で且つブーム上げ操作時に油圧ショベル本体と干渉しない位置にそのウインチを設けることが好ましい。
【００１６】
本発明の簡易集材機は、ブームと、このブームの先端に水平軸まわりに上げ下げ回動可能に連結されたアームとを有する油圧ショベルをベースマシンとして、そのベースマシンに材木運搬用のウインチが搭載された簡易集材機において、ブームの先端部に、そのブームに対し起立する起立状態とブームに沿って格納される格納状態との間で起伏するタワーが設けられ、このタワーの先端部にウインチが取り付けられ、タワーを起立状態に保持する起立保持手段が備えられていることを要旨とする。
【００１７】
上記構成の簡易集材機において、ブームとアームの連結部を支点としてタワーを起伏するように構成すれば、アームを上下動させるための支点とタワーを起伏させるための支点を共通化してタワーを効率良く配置することができるため好ましい。一方、ブームにおけるアーム連結部近傍、例えばアーム連結部の若干後方に別のピンを設け、このピンを支点としてタワーを起伏するように構成することもできる。
【００１８】
上記簡易集材機において、タワーは、アームの回動動作と干渉しない状態でブームの上面側に格納されるように構成することが好ましい。それにより、タワーを長くしても作業の邪魔にならず、また、ブーム上に格納することによって外観寸法が増加せず、重量バランスも大きく変化しない。
【００１９】
上記起立保持手段として、タワーとアームを連結・分離させる連結部材を備え、この連結部材によりタワーとアームを連結した状態で、アームの上げ側動作に連動してタワーを格納し、また、アームの下げ側動作に連動してタワーを起立させるとともにその起立状態を保持するように構成することができる。また、上記起立保持手段としてタワー基端部とブーム先端部に架設される起伏シリンダを備えることもできる。
【００２０】
本発明の簡易集材機の使用方法は、ブームとアームを有する作業アタッチメント付きの油圧ショベルをベースマシンとして、そのベースマシンに材木運搬用のウインチが搭載された簡易集材機の使用方法において、ブームとアームの連結部を支点とし、そのブームに対して起立する起立状態とブームに沿って格納される格納状態との間で起伏するタワーを有し、アームを下げてその先端部に設けられた作業装置を接地させる一方でタワーを起立させ、起立させたタワーの先端部に滑車を取り付けてウインチからのワイヤをかけ、ワイヤの送出しあるいは巻戻しを行うことを要旨とする。
【００２１】
本発明の簡易集材機の使用方法に従えば、アームを下げてその先端部に設けられた作業装置を接地させ、そのアームを支柱として起伏タワーを起立させることができるため、集材作業に有利な十分高い位置に滑車を配置することができ、しかも転倒支点を機体から遠ざけることができるため機体を安定させることができるようになる。
【００２２】
また、タワーを起立させる方法として、格納状態のタワーをアームの後端部に接続した後、そのアームを下げることによって起立させることができ、また、タワー基端部とブーム先端部に架設した起伏シリンダを伸長させることにより起立させることもできる。
【００２３】
本発明の簡易集材機の使用方法は、ブームとアームを有する作業アタッチメント付きの油圧ショベルをベースマシンとして、そのベースマシンに材木運搬用のウインチが搭載された簡易集材機の使用方法において、ブームとアームの連結部を支点とし、そのブームに対して起立する起立状態とブームに沿って格納される格納状態との間で起伏するタワーを有し、アームを下げてその先端部に設けられた作業装置を接地させる一方でタワーを起立させ、起立させたタワーの先端部に設けられたウインチからワイヤの送出しあるいは巻戻しを行うことを要旨とする。
【発明の効果】
【００２４】
請求項１の本発明によれば、簡易集材機においてブームに対して起立する起立状態とブームに沿って格納される格納状態との間で起伏するタワーを有し、このタワーの先端部に滑車を取り付けるための滑車取付部を備え、タワーを起立状態に保持する起立保持手段を備えたため、集材作業を行わない例えば掘削作業時にはタワーを格納して掘削作業を支障なく行うことができ、また、集材作業を行う場合はタワーをブームに対して起立させ、滑車を十分高い位置に配置することができ、それにより、場所を選ばず有利に集材作業を行うことができる。しかも、タワーと別個に駆動するアームを曲げてブーム，アームから構成される作業アタッチメントの先端を接地させれば、同時に機体を安定させることができる。
【００２５】
請求項２の本発明によれば、ウインチをブームに装着したため、作業アタッチメントを除くベースマシンを改造することなく油圧ショベルを簡易集材機に仕様変更することが可能になる。
【００２６】
請求項３の本発明によれば、掘削作業におけるブーム上げ操作時にウインチが邪魔にならず、ウインチを設けることによって作業視界に死角が生じることを防止できる。
【００２７】
請求項４の本発明によれば、一般の油圧ショベルの作業アタッチメントに、ウインチを備えたタワーを付加するだけで、簡易集材機として使用することが可能になる。
【００２８】
請求項５の本発明によれば、ブームとアームの連結部を支点としてタワーを起伏するように構成したため、タワーを効率良く配置することができる。
【００２９】
請求項６の本発明によれば、タワーは、アームの回動動作と干渉しない状態でブームの上面側に格納されるように構成されているため、タワーを長くしても作業の邪魔にならず、また、ブーム上に格納することによって外観寸法が増加せず、重量バランスも大きく変化しない。
【００３０】
請求項７の本発明によれば、アームの回動動作に連動させてタワーを起伏させることができる。
【００３１】
請求項８の本発明によれば、起伏シリンダを伸縮させることによりタワーを格納状態と起立状態との間で起伏させることができる。
【００３２】
請求項９の本発明によれば、アームを下げてその先端部に設けられた作業装置を接地させ、そのアームを支柱として起伏タワーを起立させることができるため、集材作業に有利な十分高い位置に滑車を配置することができ、しかも転倒支点を機体から遠ざけることができるため機体を安定させることができるようになる。
【発明を実施するための最良の形態】
【００３３】
以下、図面に示した実施の形態に基づいて本発明を詳細に説明する。
【００３４】
図１は、本発明に係る簡易集材機の第一実施形態を示したものであり、(ａ)は平面図、(ｂ)は側面図である。なお、本実施形態では簡易集材機のベースマシンとして小型油圧ショベルを用いている。
【００３５】
同図において、簡易集材機１はクローラ２を装着した下部走行体３上に上部旋回体４を旋回自在に搭載している。
【００３６】
この上部旋回体４の左側には運転席５をカバーするキャノピ６が設けられ、後部にはエンジンルーム７が配置されている。
【００３７】
上部旋回体４の前側中央には前方に向けて接続用ブラケット８が突出して設けられ、この接続用ブラケット８に、垂直軸まわりに回転できるようにスイングブラケット９が連結され、このスイングブラケット９に作業アタッチメント１０と集材用のウインチ装置１１が備えられている。
【００３８】
作業アタッチメント１０は、ブーム１２と、そのブーム１２の先端部に接続されるアーム１３と、そのアーム１３の先端部にバケットに代えて接続されるウッドグラップル１４とから構成される。
【００３９】
このウッドグラップル１４は、一対の把持爪１４ａ，１４ａを備え、木材をつかんで束ね、運び、積み重ねる動作を行うようになっており、把持爪１４ａを垂直軸まわりに回転させるためのモータ１４ｂが備えられている。
【００４０】
上記ブーム１２はブームシリンダ１５の伸縮によって起伏し、アーム１３はアームシリンダ１６の伸縮によって前後方向に揺動し、ウッドグラップル１４はウッドグラップル用のシリンダ１７の伸縮によって前後方向に揺動するようになっている。
【００４１】
なお、スイングブラケット９の右側にはアーム部１８が水平方向に延設されており（図１(ａ)参照）、このアーム部１８は上部旋回体４の前側においてその右側下部から突出しているスイングシリンダ１９とピン２０を介して連結されている。従ってスイングシリンダ１９が伸縮すると、スイングブラケット９が左右方向に揺動し、それによって作業アタッチメント１０が矢印Ａ方向にスイングする。
【００４２】
また、上記スイングブラケット９には、ウインチ取付用のプレート１１ａ（図１(ｂ)参照）が設けられており、このプレート１１ａの上段側に第１ウインチ１１ｂが、下段側に第２ウインチ１１ｃがそれぞれ取り付けられている。
【００４３】
ブームの先端部であって上記ブーム１２とアーム１３の連結部分には、図２に示すように、両者を連結している連結ピン２１を回転軸として起伏するタワー２２が設けられている。
【００４４】
図３はそのタワー２２を拡大して示したものであり、(ａ)は正面図、(ｂ)は側面図である。
【００４５】
同図において、タワー２２はアーム１３の長さと略同じ長さを有する長尺部材からなり、その基端部は門形に分かれて一対の脚部２２ａ，２２ｂを形成している。各脚部２２ａ，２２ｂの下端には上記連結ピン２１を軸通させるボス部２２ｃが設けられている。
【００４６】
タワー２２は、側面から見てくの字状に形成された一対の側板２２ｄ，２２ｄと、これらの側板２２ｄを接続する前板２２ｅおよび後板２２ｆとによって箱状に形成されており、前板２２ｅの下端は逆Ｕ字状に切り欠かれた補強板２２ｇが取り付けられている。この補強板２２ｇの切欠部２２ｈはアーム１３の揺動動作と干渉しないようにするためである。
【００４７】
２２ｉはタワー２２の起立姿勢を保持するための姿勢保持プレートであり、若干の角度調整のための二つの貫通孔２２ｊを有している。
【００４８】
姿勢保持プレート２２ｉは側板２２ｄに固定されており、この姿勢保持プレート２２ｉのいずれか一方の貫通孔２２ｊとアーム後端部のブラケット１３ａに形成されている姿勢保持ブラケット１３ｂ（図１(ｂ)参照）の貫通孔とに図示しない固定ピンを挿入すれば、タワー２２を略垂直に起立させた状態で保持することができるようになっている。ただし、このときアーム１３の姿勢は略垂直に位置している。
【００４９】
すなわち、ブーム１２とアーム１３を略一直線に延ばすと、姿勢保持ブラケット１３ｂの貫通孔と、タワー２２の姿勢保持プレート２２ｉの貫通孔２２ｊとが対応するようになっている。
【００５０】
上記姿勢保持プレート２２ｉ、姿勢保持ブラケット１３ｂおよび固定ピンは、タワー２２とアーム１３とを連結・分離させる連結部材として機能し、また、この連結部材は、アーム１３の下げ動作に連動してタワー２２を起立させるとともにその起立状態を保持することができるため、起立保持手段としても機能する。
【００５１】
一方、タワー２２の先端部には、滑車Ｐ１，Ｐ２（図１(ｂ)参照）を吊持するための滑車取付部２３が設けられている。
【００５２】
この滑車取付部２３は、タワー２２から左側に張り出したフレーム２３ａの前面に第一および第二取付部２３ｂ，２３ｃを有し、第一取付部２３ｂには滑車Ｐ１が、第二取付部２３ｃには滑車Ｐ２がそれぞれ取り付けられる。
【００５３】
２４はタワー２２の先端部側に形成されたタワー固定孔である。
【００５４】
集材作業を行わない場合、タワー２２はブーム１０の上面側に折り畳まれる（格納される）ようになっており、ブーム１０の上面から立設された柱状の固定部２５に形成されている固定孔と上記タワー２２の固定孔２４とに固定ピンを挿入すれば、図１(ｂ)に二点鎖線で示したように、ブーム１２に沿って格納されたタワー２２を固定することができるようになっている。
【００５５】
なお、図中、２６は排土等を行うためのドーザブレードを示している。
【００５６】
次に上記構成を有する簡易集材機１の使用方法について説明する。
【００５７】
集材作業が行われる前は図１(ｂ)に示したように、タワー２２がブーム１０の上面側に折り畳まれている。
【００５８】
この状態で、ブーム１２とアーム１３を略一直線になるようにアーム１３を延ばし、ウッドグラップル１４が接地するまでその一直線になったブーム１２およびアーム１３を降下させる。
【００５９】
ブーム１２とアーム１３を略一直線にすると、姿勢保持ブラケット１３ｂの貫通孔１３ｂ′（図示しない）と、タワー２２の姿勢保持プレート２２ｉの貫通孔２２ｊとが対応するため、両貫通孔１３ｂ′，貫通孔２２ｊに固定ピンを挿入すれば、アーム１３とタワー２２を一体化することができる。
【００６０】
次に、タワー２２の滑車取付部２３に滑車Ｐ１，Ｐ２を取り付ける。また、第１ウインチ１１ｂからのワイヤＷ１を滑車Ｐ１に、第２ウインチ１１ｃからのワイヤＷ２を滑車Ｐ２にかけておく。
【００６１】
次に、略一直線の姿勢となったブーム１２およびアーム１３を上昇させる。
【００６２】
次に、アーム１３を矢印Ｂ方向に回転させれば、固定ピンで接続され格納状態にあるタワー２２が連動して矢印Ｃ方向に回転する。
【００６３】
アーム１３を回転させて略垂直に垂下させると、タワー２２はアーム１３の延長線上に略垂直に起立する。この状態でアーム１３を降下させウッドグラップル１４の把持爪１４ａを接地させる。それにより、集材作業が行えるようになる。
【００６４】
なお、上記実施形態では作業アタッチメント１０の先端にウッドグラップル１４を備えた構成を示したが、簡易作業機はウッドグラップル１４に限らず、従来のバケットを備えたものであってもよい。
【００６５】
図４は、簡易集材機の第二実施形態を示した側面図である。なお、本実施形態では簡易集材機のベースマシンとして重機ショベルを用いている。
【００６６】
なお、以下の説明において図１と同じ機能を有する構成要素については同一符号を付してその説明を省略する。
【００６７】
図４に示す簡易集材機３０は、上部旋回体４にキャビン３１を搭載しており、このキャビン３１の右側に作業アタッチメント３２が備えられている。なお、この実施形態ではアーム１３の先端部にバケット３３が備えられており、そのバケット３３を接地した状態で集材作業が行われる。
【００６８】
タワー３４は、上述した第一実施形態による起伏方法と同様に、連結ピン２１を中心として回動するように構成されており、ブーム１２の上面側に格納される格納状態とブーム１２に対して起立した起立状態との間で起伏するようになっている。
【００６９】
詳しくは、アーム１３とタワー３４の姿勢が水平方向に略直線となる状態でアーム１３とタワー３４の各基端部に形成されている貫通孔（図示しない）が対応するようになっており、その貫通孔に固定ピン３５を挿入することによりアーム１３とタワー３４が一体に接続される。この状態で図４に示すようにアーム１３を下向きに略９０°回転させると、タワー３４がブーム１２に対して起立する。
【００７０】
タワー３４の先端部には滑車Ｐ１，Ｐ２が取り付けられており、また、ブーム１２の基端側背面で油圧ショベル本体と干渉しない位置にはウインチ装置３６が装着されている。
【００７１】
第一ウインチ３６ａからのワイヤＷ１は滑車Ｐ１に、第二ウインチ３６ｂからのワイヤＷ２は滑車Ｐ２にそれぞれ掛けられ、送出しまたは巻戻しが行われる。
【００７２】
上記ウインチ装置３６の配置によれば、集材作業から掘削作業に移り、ブーム上げ操作を行ってもウインチ装置３６が油圧ショベルの本体と干渉しない。また、重量物であるウインチ装置３６をブーム１２の基端側に配置したため機体のバランスが安定するという利点がある。ただし、ブーム１２の基端側にウインチ装置３６を装着する場合、オペレータ右側の作業視界に死角を作らないように配置する必要がある。
【００７３】
また、ブーム１２の外側側面（キャビン側と反対側）であってブームシリンダと干渉しない位置にウインチ装置３６を装着することもできる。このようにウインチ装置３６をブーム１２の側面に収まるように配置すれば、ブーム１２上面からウインチ装置３６がほとんど突出せず、オペレータ右側の作業視界が良好になる。
【００７４】
なお、作業アタッチメント３２には、通常、ブレーカや破砕機等のオプション用油圧配管が配索されているため、このオプション用油圧配管をウインチ装置３６に接続すれば、新たにウインチ駆動用の配管を油圧ショベル本体のコントロールバルブから導出することなくウインチ装置３６を駆動することができる。
【００７５】
次に、図５に示す簡易集材機３７は本発明の第三実施形態を示したものであり、基本的に図４に示したものと同じであるが、タワー３４を起伏させるための専用の起伏シリンダ３８が備えられている。
【００７６】
この起伏シリンダ３８のロッド側端部はタワー３４の基端部３４ａに連結され、チューブ側端部はブーム１２の先端部１２ａにブラケット１２ｂを介して連結されている。
【００７７】
この起伏シリンダ３８を伸長させると、連結ピン２１を中心としてタワー３４が矢印Ｄ方向に回転し、タワー３４を起立させることができる。これとは逆に起伏シリンダ３８を縮小させると、タワー３４が矢印Ｄ方向と逆方向に回転し、それにより、タワー３４をブーム１２の上面に倒伏させて格納することができる。
【００７８】
重機ショベルではブームトップの位置が高くなり、タワー３４の重量もブームのサイズに比例して大きくなるため、図４に示したような固定ピン３５を挿入したり抜き取ったりする作業は難しくなる。そこで、タワー３４を起伏させるための専用の起伏シリンダ３８を設けることにより、タワー３４を簡便に起伏させることができるようになり、また、起伏シリンダ３８への作動油の給排をロックすることによりタワー３４を起立状態で保持することができるようになる。
【００７９】
なお、上記起伏シリンダ３８駆動用の作動油は、ウインチ装置３６に通じる油路を分岐させることによって供給することができる。
【００８０】
具体的には、ウインチ装置３６に通じる油路に分岐弁を設け、この分岐弁の分岐先に上記起伏シリンダ３８を接続する。分岐弁は通常、ウインチ装置３６側に油路が開通するように構成し、切り換えることによって起伏シリンダ３８側に油路が開通するようにする。それにより、新たに油路を配索することなく起伏シリンダ３８を駆動することができるようになる。また、上記分岐弁を、ブーム基端側、すなわちウインチ装置３６に近い側に設ければ、切換操作が容易に行える。
【００８１】
以上、第二および第三実施形態ではウインチ装置３６をブーム１２に装着したが、上部旋回体４上（例えばカウンタウエイト上）に、ウインチ装置３６を大幅な本体改造を要さずに搭載できる場合は、ウインチ装置３６を上部旋回体４上に装着してもよい。ただし、この場合は、別途上部旋回体４に搭載されている油圧切換弁から油圧配管を導出してそのウインチ装置３６に接続する必要がある。
【００８２】
次に図６に示す簡易集材機４０は、本発明の第四実施形態を示したものである。
【００８３】
同図に示す簡易集材機４０も基本的に図４に示したものと同じであるが、ウインチ装置３６がブーム１２に設けられておらず、タワー３４の先端部３４ｂに備えられている。
【００８４】
タワー３４の先端部３４ｂには、ウインチ装置３６を固定するための固定座３４ｃが備えられており、この固定座３４ｃに対してウインチ装置３６がボルト（図示しない）で固定されている。なお、タワー３４を起伏させる構成は、図４に示した構成と同じである。
【００８５】
上記構成によれば、一般の油圧ショベルの作業アタッチメント３２に、ウインチ装置３６付きのタワー３４を装着するだけで簡易集材機として使用することができるようになる。
【００８６】
また、ウインチ装置３６を駆動するための作動油は、オプション用油圧配管４１を通じて供給することができる。通常、オプション用油圧配管４１の接続口４１ａは、アーム１３の先端部分に位置するように設けられているが、その接続口４１ａに延長用の油圧配管を接続し、その油圧配管を通じてウインチ装置３６に作動油を供給することができる。そうすれば、既存の作業アタッチメント３２の油圧配管に変更を加える必要がない。
【００８７】
ただし、タワー３４は起伏動作するため、延長した油圧配管においてタワー基端部に配索される部分については、屈曲可能な配置にする必要がある。
【図面の簡単な説明】
【００８８】
【図１】(ａ)は本発明に係る簡易集材機の第一実施形態を示す平面図、(ｂ)はその側面図である。
【図２】図１に示す簡易集材機の正面図である。
【図３】(ａ)は図１に示すタワーの拡大正面図、(ｂ)は拡大側面図である。
【図４】簡易集材機の第二実施形態を示す側面図である。
【図５】簡易集材機の第三実施形態を示す側面図である。
【図６】簡易集材機の第四実施形態を示す側面図である。
【図７】従来の簡易集材機の構成を示す側面図である。
【図８】従来の簡易集材機の別の構成を示す側面図である。
【符号の説明】
【００８９】
１  簡易集材機
２  クローラ
３  下部走行体
４  上部旋回体
５  運転席
６  キャノピ
１０  作業アタッチメント
１１  ウインチ装置
１１ａ  第１ウインチ
１１ｂ  第２ウインチ
１２  ブーム
１３  アーム
１３ｂ  姿勢保持ブラケット
１４  ウッドグラップル
１５  ブームシリンダ
１６  アームシリンダ
２２  タワー
２３  滑車取付部
２５  固定部
Ｐ  滑車
Ｗ１，Ｗ２  ワイヤ
【図１】
2004315226.tif 000003
【図２】
2004315226.tif 000004
【図３】
2004315226.tif 000005
【図４】
2004315226.tif 000006
【図５】
2004315226.tif 000007
【図６】
2004315226.tif 000008
【図７】
2004315226.tif 000009
【図８】
2004315226.tif 000010